(57)【要約】【課題】  圧力チャンバー等に採用できる気密性のある好ましい開口構造と、そのような開口構造を含む圧力チャンバーとを提供するものである。【解決手段】  圧力差を隔てるシート２・１２・１３の一部に設けられていて、開口をファスナー１２Ｆ・１３Ｆにて開閉する気密性のある開口構造である。シート１２の高圧側に、ファスナー１２Ｆが閉じられたとき上記の開口およびファスナー１２Ｆにかぶさり得るように補助シート１４が設けられていて、上記シート１２に、対向する相手側である補助シート１４の面に密着して上記の開口およびファスナー１２Ｆの周囲を塞ぎ得る環状の連続したシール部材１５が取り付けられている。【選択図】      図１
2005334423.tif 000002
【特許請求の範囲】
【請求項１】
圧力差を隔てるシートの一部に設けられていて、開口をファスナーにて開閉する気密性のある開口構造であって、
上記シートの高圧側に、ファスナーが閉じられたとき上記の開口およびファスナーにかぶさり得るように補助シートが設けられていて、
上記シートか補助シートかのいずれかに、対向する相手側の面に密着して上記の開口およびファスナーの周囲を塞ぎ得る環状の連続したシール部材が取り付けられている
ことを特徴とする開口構造。
【請求項２】
圧力差を隔てる上記のシートが、少なくとも開口付近では二重シートにより構成されていてそれぞれが開口にファスナーを備え、
当該二重シートの間に上記の補助シートが配置されており、
当該二重シートのうち一方のシートか補助シートかのいずれかに、対向する相手側の面に密着して上記の開口およびファスナーの周囲を塞ぎ得る環状の連続したシール部材が取り付けられている
ことを特徴とする請求項１に記載の開口構造。
【請求項３】
圧力差を隔てる上記のシートが繊維補強のされた樹脂製のものであるとともに、上記の補助シートが表面の平滑な軟質樹脂製のものであり、上記のシール部材が、補助シートと対向する上記シートの高圧側の面に接合されていることを特徴とする請求項１または２に記載の開口構造。
【請求項４】
大気圧とは異なる内部圧力で使用される圧力チャンバーであって、
請求項１〜３のいずれかに記載の開口構造が、利用者の出入口に設けられていることを特徴とする圧力チャンバー。
【請求項５】
内部の気圧を大気圧以上に保つべく、折りたたみ可能な円筒形の袋状容器として構成されていて、その円筒状側面に長手方向に沿って開口およびファスナーが設けられていることを特徴とする請求項４に記載の圧力チャンバー。
【発明の詳細な説明】
【技術分野】
【０００１】
請求項に係る発明は、圧力差を隔てるシートの一部にファスナーとともに設けられる開口構造、およびそのような開口構造を備える圧力チャンバーに関するものである。
【背景技術】
【０００２】
身体の周囲の空気圧力を大気圧よりも高く保つと、血液や体液中の酸素量が増えること等により、健康増進や疲労回復、美容等に関して好ましい効果がある。そのような効果を得る手段として、近年、内部の空気を高気圧（たとえば１．３気圧前後）に保って人を収容することが可能な圧力チャンバーが種々製造されている。圧力チャンバーには、金属や硬質樹脂等を用いて頑丈に構成された据え置き型のもののほか、袋状になっていて折りたたみが可能な可搬式のものもある。
【０００３】
下記に示す特許文献１にも、同様に内部の気圧を周囲よりも高く維持して人を入れることができる袋状の圧力チャンバー（ハイパーバリック室）が記載されている。ビニルやケブラー（商標）でできたシートによって折りたたみ可能に構成し、内部を加圧することにより、球形、半球形またはソーセージ形に膨らませて使用する。当該文献によれば、このチャンバーを利用してスポーツ選手の運動能力を高めたり、高山病患者の治療を行ったりすることができる。
【特許文献１】特公平４−２０３５４号公報
【発明の開示】
【発明が解決しようとする課題】
【０００４】
人を収容する上記のような圧力チャンバーには、人が出入りするためなどに、開閉可能な開口を設ける必要がある。そしてその開口は、チャンバー内の気圧を高めに保つことができるように気密性を備えなければならない。
金属等で頑丈に構成されたチャンバーなら、側壁等の一部にドアやハッチ等を設けて開閉の可能性と気密性とを実現することは容易である。しかし、折りたたみ可能な袋状の圧力チャンバーの場合、そうしたドア等を設けることはできないため、軽量で柔軟性のある開口構造を採用する必要がある。
【０００５】
上記した特許文献１では、そのような開口構造として、防水気密ジッパー（水中用のドライスーツに用いられているタイプのもの）を開口に取り付けたり、補強のためにベルクロ形の紐を用いたりすることが記載されている。
【０００６】
しかし、防水気密ジッパーは、開口の縁部をジッパー（ファスナーの別称）にて強く重ね合わせることにより防水性・気密性を確保するものなので、ジッパーを開閉操作するのに強い力が必要である。また、シートにおける開口の縁部は摩耗等によって損傷しやすいにもかかわらず、損傷すると防水性・気密性が大幅に低下するので、防水気密ジッパーは一般に、十分な気密性が確保される状態での使用可能回数（開閉回数）が限られている。また、紐を用いる場合も、紐だけで開口部の気密性を高めることは不可能であるうえ、紐を結んだり解いたりすることは大変に煩わしい。
【０００７】
請求項に係る発明は、以上の点を考慮してなしたもので、圧力チャンバー等に採用できる気密性のある好ましい開口構造と、そのような開口構造を含む圧力チャンバーとを提供するものである。
【課題を解決するための手段】
【０００８】
請求項１に記載した開口構造は、圧力差を隔てるシート（つまり、一方の側の面が他方の面よりも高い圧力を受けるもの）の一部に設けられる、開口をファスナー（スライドファスナー）にて開閉する形式の、気密性（水密性をも含む）のある開口構造で、
・  上記シートの高圧側（他方に比べて圧力の高い側）に、ファスナーが閉じられたとき上記の開口およびファスナーにかぶさり得るように補助シートを設け、
・  上記シートか補助シートかのいずれか（または双方）に、対向する相手側（補助シートまたは上記シート）の面に密着して上記の開口およびファスナーの周囲を塞ぎ得る環状（連続した閉じた形のもの。円形であるとは限らない）の連続したシール部材を接合等によって取り付けた
ことを特徴とする。
【０００９】
こうした開口構造は、ファスナー自体にすぐれた気密性が備わっていなくても、閉じた状態において高い気密性（水密性をも含む）を発揮することができる。なぜなら、上記のとおりシートの高圧側に補助シートを設けるとともに、その補助シートか上記のシートかのいずれかに相手側の面に密着するシール部材を取り付けているからである。上記シートの高圧側から圧力（低圧側より高い圧力）が作用すると、上記補助シートは上記シートの高圧側の面に押し付けられ、シール部材も上記シートか補助シートかに密着させられる。補助シートは、シートの開口およびファスナーにかぶさり得るものであり、シール部材も当該開口およびファスナーの周囲を塞ぎ得る環状の連続したものであるため、高圧側から上記シートの開口およびファスナーに向かう空気は、上記の補助シートとシール部材とによって遮断される。こうして開口およびファスナーに向かう空気が遮断されることから、ファスナー自体に気密性がなくとも、この開口構造は、閉じた状態において高い気密性を発揮できるのである。
【００１０】
ファスナー自体に高い気密性が要求されないので、この開口構造では、前記した防水気密ジッパーのような特殊なファスナーを使用する必要がない。汎用のファスナーや簡易的な気密性のみを有するファスナーを使用することができるので、低コストであるうえ、開閉操作に要する力が小さくて済む。開口の縁部やファスナーの継ぎ目は開閉の回数とともに摩耗等するが、それによって気密性が低下する恐れもない。つまり、上記の補助シートやシール部材等に傷が付かない限り上述した気密性が発揮されるため、頻繁に開閉される場合であっても長期間繰り返して使用することができる。
【００１１】
請求項２に記載した開口構造は、とくに、
・  圧力差を隔てる上記のシートを、少なくとも開口付近では二重シート（２枚のシートが接触し合う程度に重なって存在するもの）により構成して、それぞれの開口にファスナーを付け、
・  当該二重シートの間（つまり二重シートのうち一方のシートの高圧側）に上記の補助シートを配置し、
・  当該二重シートのうち一方のシートか補助シートかのいずれかに（つまりシートおよび補助シートが合計３枚あるうちの１枚以上に）、対向する相手側（補助シートまたは上記いずれかのシート）の面に密着して上記の開口およびファスナーの周囲を塞ぎ得る環状の連続したシール部材を取り付けた
ことを特徴とする。
【００１２】
この請求項の開口構造では、補助シートが二重シートの間にあるため、各ファスナーを閉じた状態では必ずその二重シートの中に、各シートと重なった状態で補助シートが収容される。したがって、高圧側に圧力を作用させるとき、あらかじめ補助シートをシートの高圧側の面にかぶせるための操作をする必要がない。また、各ファスナーを閉じた状態では補助シートやシール部材が露出しないので、誤ってそれらに傷を付けてしまう恐れがない。つまり、この開口構造によれば、使用時の取り扱いが簡単であるうえ、気密性を維持しながら長期間使用するうえでも有利であるといえる。
【００１３】
この開口構造において気密性が発揮されるのは、つぎのような作用による。まず、二重シートのうち低圧側にあるシートの高圧側の面か、それに対向する補助シート上の面かのいずれか（または双方）にシール部材を取り付けた場合には、圧力が作用したとき、補助シートが当該低圧側のシート上に押し付けられ、請求項１の開口構造と同様の作用で気密性が発揮される。その一方、二重シートのうち高圧側にあるシートの低圧側の面か、それに対向する補助シート上の面かのいずれか（または双方）にシール部材を取り付けた場合は、圧力が作用したとき、低圧側のシートにバックアップされた補助シートに対して高圧側のシートが押し付けられ、シール部材も高圧側シートか補助シートかに密着することによって、高圧側シートの開口およびファスナーから低圧側シートに向かう空気が遮断され気密性が発揮される。
【００１４】
請求項３に記載の開口構造は、とくに、
・  圧力差を隔てる上記のシートを、繊維補強のされた樹脂製のものとするとともに、
・  上記の補助シートを、表面の平滑な軟質樹脂製のものとし、
・  上記のシール部材を、補助シートと対向する上記シートの高圧側の面に接合（接着または溶着等によって密に取り付けること）した
ことを特徴とする。
気密性のある開口構造であることから、上記のシートおよび補助シートとして通気性のないものを使用することは言うまでもない。
【００１５】
この開口構造では、圧力差を隔てるシートとして繊維補強のされた樹脂製のものを使用するため、両側の面に異なる圧力を受けるとき大きくは伸長することがなく、耐圧強度の面でも余裕をもたせられる。またこのことは、補助シートが上記シートの高圧側に押し付けられることによって上記のとおり実現する気密性の確保の点でも好ましい。
しかし、繊維補強のされた樹脂製シートは、含まれる繊維がそのシートの表面に凹凸を形成しているのが一般である。そのため、仮に補助シートに上記のシール部材を接着しておき、圧力の作用時にそのシール部材を繊維補強された上記シートの表面に押し付けるとすれば、シール部材と上記シート（の繊維による凹凸）との間に生じやすい隙間に起因して気密性が不十分になる可能性がある。
そこで、この請求項の開口構造は、上記のシール部材を上記シート（繊維補強されたもの）の高圧側の面に密に接合しておき、補助シートを、表面の平滑な軟質樹脂製のものとしたのである。こうすれば、上記シートとシール部材との間を接合によって隙間なく一体化し、同時に、圧力の作用時にシール部材を補助シートの表面にしっかりと密着させることができて、しっかりと気密性が確保される。
【００１６】
請求項４に記載した圧力チャンバーは、大気圧とは異なる内部圧力で（つまり大気圧より高い圧力か低い圧力かで）使用される圧力チャンバーにおいて、
・  上記請求項に示した開口構造を、利用者の出入口に設けた
ことを特徴とする。
【００１７】
一般に、圧力チャンバーにおける利用者の出入口は、開閉頻度が高いものである。たとえば、前述のように健康増進等のために人を収容する圧力チャンバーの場合、通常は４０〜５０分ずつ人を高気圧中におくのが良いとされているため、利用者が連続する場合は、出入りのために１日あたり１０回前後は開閉されることになる。市販の防水気密ジッパーにおいては、気密性を維持できる許容開閉回数が５００回前後とされるので、人の出入りにともなう上記の開閉頻度は、防水気密ジッパーにとっては過酷にすぎるものといえる。同ジッパーには、操作が重くて開閉が容易でないという難点もある。なお、健康増進等のためのチャンバーに限らず、運動のトレーニングや各種実験等のための圧力チャンバーにおいても、人の出入口は１日に何十回と開閉されるのが普通である。
この請求項の圧力チャンバーは、その点を考慮して、利用者の出入口に、上記請求項に示した開口構造を設けたものである。上記請求項の開口構造は、閉じた状態で高い気密性を発揮するうえ、汎用のファスナー等を使用できるので開閉操作に要する力が小さく、しかも、頻繁に開閉される場合にも気密性を損なうことなく長期間の繰り返し使用ができる（前記）。したがって、この圧力チャンバーは、人の出入口として最適な開口構造を備えた極めて好ましいものといえる。
【００１８】
請求項５に記載した圧力チャンバーは、請求項４の圧力チャンバーについてとくに、
・  内部の気圧を大気圧以上に保つべく、折りたたみ可能な円筒形の袋状容器として構成し、
・  その円筒状側面に、長手方向に沿って（つまり円筒の軸心と平行な方向に）上記の開口およびファスナーを設けた
ことを特徴とする。
【００１９】
こうした圧力チャンバーは、利用者を収容するとともに内部の気圧を大気圧以上に保つものであり、前述した健康増進等の用途に用いることができる。これには、とくにつぎのような作用的特徴がある。すなわち、
・  折りたたみ可能な袋状容器として圧力チャンバーを構成し、それに対して前記請求項の開口構造を採用したものである。つまり、重くて変形不能なドアやハッチを備える開口構造ではなく、シートやファスナー、補助シート、シール部材といった変形可能な要素にて構成する開口構造を採用するので、開口構造自体を含めて圧力チャンバーの折りたたみが可能であり、また全体として軽量でもある。したがって、この請求項の圧力チャンバーは、必要に応じて別の使用箇所へ移動・搬送することが極めて容易である。
・  円筒形の袋状容器において、その円筒状側面に長手方向に沿って開口およびファスナーを設けている。そのため、開口やファスナーを含むシートに補助シートを押し付けること等による気密性の維持が極めて効果的に実現される。円筒状側面の長手方向に設ける開口は、直線状に形成することができるうえ、その袋状容器に作用する圧力が変化したとしても三次元的に大きく変形することがないからである。つまり、上記のような開口は、球面状の面に設ける開口とは違って曲線状のもの（シートの面とともに曲がったもの）にはならず、また、平坦な面（たとえばサイコロ型の容器の側面）に設ける開口とは違って圧力を受けても三次元的に（つまりシートの面とともに膨らんで）形状が変化することもない。そのため、この圧力チャンバーでは、三次元的な特別な形状を与えていない平板状の補助シート（したがって入手しやすく低コストなもの）を用いることによって、つねに高い気密性が確保されるのである。
【発明の効果】
【００２０】
請求項１に記載した開口構造にはつぎの効果がある。
・  すぐれた気密性をもつ防水気密ジッパー等を使用しなくても、閉じた状態において高い気密性を発揮することができる。
・  特殊なファスナーを使用する必要がないので、低コストである。
・  開閉操作に要する力が小さくて済む。
・  頻繁に開閉される場合であっても長期間繰り返して使用することができる。
【００２１】
請求項２に記載した開口構造によればさらに、使用時の取り扱いが簡単であるうえ、気密性を維持しながら長期間使用するうえでも有利である。
【００２２】
請求項３に記載の開口構造では、とくに、圧力の作用によってシートが大きく伸長することがなく耐圧強度の点でも有利である。また、圧力の作用時にシール部材を補助シートの表面にしっかりと密着させることができ、高い気密性が確保される。
【００２３】
請求項４に記載した圧力チャンバーは、高い気密性を発揮するうえ開閉操作に要する力が小さく、しかも頻繁に開閉しても気密性が低下しない、といった特性をもつ開口構造を利用者の出入口に設けたものなので、人が出入りする機会の多い圧力チャンバー（たとえば健康増進や治療、美容、疲労回復、トレーニング、または各種実験のためのチャンバーなど）として好ましい。
【００２４】
請求項５に記載の圧力チャンバーは、開口構造自体を含めて折りたたみが可能であり軽量でもあるため、必要に応じて別の使用箇所へ移動・搬送することが容易である。また、入手しやすくコストの低い補助シートを用いることによって、つねに高い気密性を確保することができる。
【発明を実施するための最良の形態】
【００２５】
図１〜図４に、発明の実施についての一形態を紹介する。図１は、図２以下に示す圧力チャンバー１に採用した開口構造１０の詳細を示す図で、図１（ａ）は平面図、同（ｂ）は同（ａ）におけるｂ−ｂ断面図である。図２は、圧力チャンバー１の外形図であって、図２（ａ）は平面図、同（ｂ）は側面図である。また、図３は圧力チャンバー１の全体を示す斜視図、図４は、圧力チャンバー１への空気の供給系などを示した系統図である。
【００２６】
図２および図３に示す圧力チャンバー１は、内部に人を収容したうえ、その内部の空気圧を大気圧よりも０．０３ＭＰａ（約０．３ｋｇ／ｃｍ2）程度だけ高く保つことができるよう構成している。そのような高気圧下で４０〜５０分間ずつ人を横たわらせることにより、健康増進や疲労回復、美容に関する効果をもたらすのである。
【００２７】
折りたたんで運べる可搬式のものとするために、このチャンバー１については、繊維補強のされたポリウレタン製のシート２によって袋状の容器を構成している。当該容器内に上記圧力近くまで空気を封入したとき図示のように円筒形（両端に半球形の部分を含む）に膨らみ、空気を排出したときは萎んでコンパクトに折りたためる状態になる。
【００２８】
圧力チャンバー１は、図３のように横向きの状態で水平支持台３の上に設置して使用する。上部には、長手方向に沿って、ファスナー１２Ｆ付きの開口等からなる開口構造１０を設けており、このチャンバー１を利用するときは、そのファスナー１２Ｆ等により開口構造１０が開閉されたうえで、利用者が出入りすることができる。チャンバー１内にはクッション性のある寝台（図示省略）を配置しており、利用者は、その上に横たわった状態で、送り込まれる空気の圧力を受ける。図２および図３において、符号４は、透明樹脂シートによって形成した覗き窓、また符号５は、空気配管（たとえば空気注入器２６）やバルブ、計測器などを接続できる接続部（継手）である。
【００２９】
圧力チャンバー１における上記の開口構造１０は、図１とおり構成したものである。すなわち、
a)  チャンバー１の本体であるシート２を、開口の付近においては、外側（低圧側）のシート１２と内側（高圧側）のシート１３とが重なった二重シート１１により構成する。この例では、シート１２・１３として、前記シート２と同じく、繊維補強のされたポリウレタン製シートを使用している。
【００３０】
b)  二重シート１１の各シート１２・１３にある開口は、それぞれファスナー１２Ｆ・１３Ｆを取り付けることによって開閉可能にしている。ファスナー１２Ｆ・１３Ｆとしては、気密性としていわゆる簡易気密レベルの性能をもつものを使用する。ファスナー１２Ｆ・１３Ｆは、図２（ａ）のようにチャンバー１の円筒状側面の長手方向に沿っていずれも真っ直ぐに設け、また図１（ａ）・（ｂ）のとおり、上下に重なることがないようにやや（数十ｍｍ以上）位置をずらして平行に配置している。
【００３１】
c)  二重シート１１のシート１２・１３間に、図１（ｂ）のように補助シート１４を配置する。補助シート１４は、透明で軟らかいうえ表面（少なくともシート１２に対向する側の面）が平滑な塩化ビニル製のものとし、ファスナー１２Ｆに対して完全にかぶさることの可能な寸法をもたせている。ファスナー１２Ｆ・１３Ｆの長手方向に沿う一方の縁部をシート１２・１３と接合してシート２に一体化し、他方の縁部は、人の出入りが可能なように固定せずにおいている。
【００３２】
d)  外側（低圧側）にあるシート１２の内側面（つまり高圧側の面）に、半円形の断面をもつ環状のシール部材１５を接合している。シール部材１５は、たとえば、ゴム製のOリングを中央付近で縦断することにより作製できる。シート１２に対しては、ファスナー１２Ｆを囲むとともに上記の補助シート１４がかぶさるよう、図１（ａ）のように環状（長円形状）にシール部材１５を取り付け、同（ｂ）のとおり平坦な面を接合面として接着剤により接合する。
【００３３】
このように構成した開口構造１０は、補助シート１４およびシール部材１５の作用等によって高い気密性をもたらすことになる。すなわち、圧力チャンバー１の内側から大気圧以上の圧力が作用すると、補助シート１４は、外側のシート１２の内側面に押し付けられるとともに、シール部材１５の全周に密着させられる。この状態では、ファスナー１２Ｆおよびその開口の上（チャンバー１の内側）に補助シート１４がかぶさっているほか、ファスナー１２Ｆおよびその開口を囲むシール部材１５が、シート１２に接合されているうえ補助シート１４に密着していることになる。したがって、このとき、チャンバー１の内側からシート１２のファスナー１２Ｆおよびその開口に向かう空気は、補助シート１４とシール部材１５とによって遮断され、高い気密性が維持される。
【００３４】
なお、圧力チャンバー１においては、製造または使用上の便宜のためにつぎのような技術的工夫もとり入れている。すなわち、
・  袋状の容器を形成するためのシート２中のつなぎ合わせや、二重シート１１（シート１２・１３間）およびそれらと補助シート１４との接合、各シート１２・１３の開口に対するファスナー１２Ｆ・１３Ｆの取り付け等に関しては、生地やシート等の相互間を接着剤によって接着し、または加熱することにより融着させている。相互間を縫い合わせる場合には、当該縫合部に樹脂製被膜等を設けて空気の漏れを防止するとよい。
・  内部の空気が排出された状態のチャンバー１においても人が入って横たわりやすいよう、円筒状の壁面をなすシート２の内側、たとえば覗き窓４の付近に補強リング（図示省略）を設けている。補強リングは、弾性に富んだ樹脂製のもの、ないしステンレスパイプ製のもので、内部の空気圧が低いときにも、利用者の頭の付近でシート２が概ね円筒状の形を保てるようにしたものである、このようにすれば、横たわった利用者の顔の上にシート２がかぶさって不快感をもたらすことが防止される。
・  シート２で構成した圧力チャンバー１（の本体）の外側を非伸縮性のカバー２ａによって覆い（図３を参照）、そのカバー２ａに取扱者の名（商標を含む）や使用要領等を印刷することとしている。圧力を受けて多少でも伸び縮みすることが避けられないシート２とは違って、カバー２ａの伸縮は小さいため、印刷が剥がれにくい。
【００３５】
圧力チャンバー１に対しては、図４に示す機器によって空気供給等を行っている。すなわち、圧力チャンバー１の近傍に操作ユニット２０を設けることとし、同ユニット２０中に、空気供給等のための種々の機器を配置するとともに、それらを、チャンバー１に設けた前記の接続部（継手）に対し管やホースにて接続している。具体的にはつぎのとおりである。
【００３６】
操作ユニット２０には、まず空気圧縮機２１を設け、その供給口に安全弁２２、フィルター２３（とくに微細な埃等を除去するもの）、電磁弁２４およびボール弁２５を接続している。空気圧縮機２１としては、オイルフリーであるうえに発塵やアウトガスの発生が少ないダイヤフラム式のものを設けている。安全弁２２の設定圧力は大気圧＋０．１ＭＰａとする。そして上記のボール弁２５の先を、フレキシブルホースを介してチャンバー１上の空気注入器２６に接続している。なお、電磁弁２４や空気注入器２６には消音器を付設している。
【００３７】
一方、空気の排出側については、チャンバー１上の空気排出器２７に、フレキシブルホースを介して操作ユニット２０中のボール弁２８に接続し、さらに同ユニット２０内に設けた圧力計２９、リリーフ弁３１および電磁弁３２に接続している。リリーフ弁３１は、設定リリーフ圧を大気圧＋０．０３ＭＰａとする。また空気排出器２７やボール弁２８、リリーフ弁３１および電磁弁３２には消音器を付属させるとよい。
【００３８】
空気圧縮機２１からは高めの圧力（大気圧＋０．０５ＭＰａ程度）で空気を送り込むこととし、圧力チャンバー１内の空気圧は、排出側に設けた上記リリーフ弁３１の設定リリーフ圧により、大気圧＋０．０３ＭＰａに設定している。このようにすれば、加圧中はリリーフ弁３１からつねに空気が抜け出るので、チャンバー１内の換気を行えることになり利用の快適性が保たれる。
【００３９】
圧力チャンバー１にはさらに、内部から手動操作して圧力を開放することができる安全弁３３をシート１２の一部に取り付け、利用者による非常時の減圧を可能にしている。また、呼び出しチャイムとしての送信ボタン３４をもチャンバー１内に設け、操作ユニット２０内の受信・通報器３５に無線送信されるよう設備している。そのほか、ヘッドホン（無線受信式）をもチャンバー１内に配置し、外部の音楽プレーヤー３７から受信する音楽を聴けるようにもしている。
【図面の簡単な説明】
【００４０】
【図１】発明の実施についての一形態を示すもので、図２以下に示す圧力チャンバー１に採用した開口構造１０の詳細を示す図である。図１（ａ）は平面図、また同（ｂ）は、同（ａ）におけるｂ−ｂ断面図である。
【図２】圧力チャンバー１の外形図であって、図２（ａ）は平面図、同（ｂ）は側面図である。
【図３】圧力チャンバー１の全体を示す斜視図である。
【図４】圧力チャンバー１への空気の供給系などを示した系統図である。
【符号の説明】
【００４１】
１  圧力チャンバー
２  シート
１０  開口構造
１１（１２・１３）  二重シート
１２Ｆ・１３Ｆ  ファスナー
１４  補助シート
１５  シール部材
２０  操作ユニット
【図１】
2005334423.tif 000003
【図２】
2005334423.tif 000004
【図３】
2005334423.tif 000005
【図４】
2005334423.tif 000006